(57)【要約】【課題】  配送システムにおいて地域情報の冊子を作成し、配送荷物に冊子を添付する手段を構築したシステムは存在しなかった。また配送方法では、集荷に伴う手間や時間の軽減および荷物の配送のみを目的とした方法しか存在しなかった。更にまた、多数情報を掲載した冊子の配送では、冊子に嫌悪感を示し利用率が低くなるという問題があった。【解決手段】  本発明の配送システムおよび配送方法は、冊子作成手段５および配送手段６を配送システムに構築することにより、地域情報の冊子を作成し配送荷物に冊子７を添付することができる。また、冊子を作成するステップおよび配送するステップを配送方法に付加することにより、荷物の配送とともに地域情報の冊子を提供することも目的とすることができる。更にまた、冊子７に顧客の地域情報を掲載することにより、嫌悪感を軽減させ利用率を良くすることができる。【選択図】  図１
2005306522.tif 000002
【特許請求の範囲】
【請求項１】
顧客の荷物を配送する配送システムにおいて、
通信回線を介して前記顧客の住所データを含む配送依頼情報を受け付ける受注手段と、
前記配送依頼情報および所定の地域別情報を保持する第１記憶手段と、
前記住所データに基づき、該住所データに対応する前記地域別情報を検索し、複数の顧客地域別情報を抽出する抽出手段と、
複数の画像データを保持する第２記憶手段を有し、前記顧客地域別情報と、該情報に対応する前記画像データを印刷して冊子を作成する冊子作成手段と、
前記冊子を前記荷物に添付して配送する配送手段とを備えていることを特徴とする配送システム。
【請求項２】
販売会社に設置された第１の端末から発行される配送伝票に基づき、顧客の荷物の配送先が特定された住所データを含む配送依頼情報を配送業者に設置された第２の端末を用いて受け付ける受注手段と、
前記配送依頼情報および店舗コードを含む所定の地域別情報を保持する第１記憶手段と、
前記住所データに基づき、該住所データに対応する前記地域別情報を検索し、複数の顧客地域別情報を抽出する抽出手段と、
複数の画像データを保持する第２記憶手段を有し、前記顧客地域別情報の前記店舗コードに対応する前記画像データを抽出して紙を含む印刷媒体に印刷し、冊子を作成する冊子作成手段と、
前記冊子を前記荷物に添付して前記顧客に配送する配送手段とを備えていることを特徴とする配送システム。
【請求項３】
前記所定の地域別情報は、前記店舗コードに対応する配達可能地域コードを有することを特徴とする請求項２に記載の配送システム。
【請求項４】
前記店舗コードは、前記配送業者と契約した店舗の店舗コードであることを特徴とする請求項３に記載の配送システム。
【請求項５】
前記所定の地域別情報は、店舗コードおよび該店舗コードに対応する配達可能地域コードを有しウェブサーバに保持される店舗データベースの一部を含むことを特徴とする請求項２に記載の配送システム。
【請求項６】
前記第１記憶手段は印刷履歴情報を有し、前記抽出手段は前記印刷履歴情報に基づいて前記顧客地域別情報を抽出することを特徴とする請求項２に記載の配送システム。
【請求項７】
前記所定の地域別情報は、優先順位情報を有し、前記抽出手段は、前記優先順位情報に基づいて前記顧客地域別情報を抽出することを特徴とする請求項２に記載の配送システム。
【請求項８】
前記画像データは、店舗コード、画像コード、印刷デザインを少なくとも含むことを特徴とする請求項２に記載の配送システム。
【請求項９】
顧客の荷物を配送する配送方法において、
受注手段が、前記顧客の住所データを含む配送依頼情報を受け付けるステップと、
抽出手段が、前記住所データを基に該住所データに対応する第１記憶手段に保持される所定の地域別情報を検索し複数の顧客地域別情報を抽出するステップと、
冊子作成手段が、第２記憶手段に保持される複数の画像データと前記顧客地域別情報に対応する前記画像データを印刷して冊子を作成するステップと、
配送手段が、前記冊子を前記荷物に添付して配送するステップとから構成されることを特徴とする配送方法。
【請求項１０】
前記所定の地域別情報は店舗コードに対応する配達可能地域コードを有し、前記抽出手段は前記顧客地域別情報を配達可能地域コードで抽出するステップを備えていることを特徴とする請求項９に記載の配送方法。
【請求項１１】
前記所定の地域別情報は優先順位情報を有し、前記抽出手段は前記顧客地域別情報を優先順位情報で抽出するステップを備えていることを特徴とする請求項９に記載の配送方法。
【発明の詳細な説明】
【技術分野】
【０００１】
本発明は、顧客の荷物を配送するシステムおよび配送する方法に関し、特に配送先の住所データに対応した顧客毎に異なる地域別情報の冊子を作成し提供する配送システムおよび配送方法に関するものである。
【背景技術】
【０００２】
インターネットの普及に伴って配送サービスに関する様々なビジネスモデルが提案されている。その中にはウェブ上で宅配サービスの予約を受け付けるサービスもある。
【０００３】
従来の配送のシステムでは、インターネットを介してユーザー端末から送られてきた個人情報登録要求を受信し運輸会社が保持する顧客データベースに送信する個人情報登録受付手段と、インターネットを介してユーザー端末から送られてきた集荷依頼要求を受信し、受信内容にエラーがあった場合には修正をした上で集荷ファイルに送信し記憶させる集荷依頼受付手段と、集荷依頼要求に応じて「集荷依頼を受信した旨のメール」をインターネットを介してそのユーザー端末に送信する集荷依頼受付通知手段と、集荷依頼情報の住所をもとに物流拠点マスタから担当物流拠点および担当配達者端末を抽出し集荷依頼情報と共に集配マスタに送信する集荷依頼振分け手段と、届け先Ｅメールアドレスのユーザー端末に集荷依頼情報の配達希望日時と配達認識情報とを含む配達情報をインターネットを介して送信する配達予定通知手段と、配達予定通知手段によって配達予定日を通知したユーザー端末からインターネットを介して配達日時変更依頼情報および配達識別情報を受信すると、ユーザー端末に「配達日時変更依頼を受信した旨のメール」を送信し、受信内容にエラーがあった場合には修正した上でその配達日時変更依頼情報を配達識別情報と共に集配マスタに送信する配達日時変更依頼受付手段と、インターネットを介してユーザー端末から送られてきた再配達依頼要求を受信し、受信内容にエラーがあった場合には修正した上で再配達ファイルに記憶させる再配達依頼受付手段と、再配達依頼要求に対して「再配達依頼を受信した旨のメール（伝票番号を含む）」をインターネットを介してそのユーザー端末に送信する再配達依頼受付通知手段と、伝票番号と共にその再配達依頼情報を集配マスタに送信すると共に営業時間内であれば再配達ファイル内の再配達依頼情報を担当物流拠点サーバーおよび担当配達者端末に送信し、営業時間外であれば送信しない再配達依頼振分け手段と、を備えているシステムは特許文献１に記載されている。
【０００４】
また従来の配送の方法では、まず宅配の依頼者は、パソコンを使いインターネットを介して宅配受付サービスセンターの宅配受付サーバーに接続し、電話番号、住所、氏名、宅配便の種別等の配達便に関する情報および配達時間帯を含む集荷依頼の登録を行う。そしてこれらの宅配依頼情報が宅配受付サーバーの記憶部に記憶されると共に、依頼者および宅配先の住所から料金の算出や集配対応可能可否等の条件により選定された宅配会社へ情報を送信し、集配指示を行う。集荷・宅配依頼情報が送信された当宅配会社は、集荷車両を選定し、無線を介して集荷車両の車載端末に集荷先が特定された集荷依頼情報を転送し集荷担当者へ伝える。その後、集荷車両に搭載されているラベラで宅配伝票を印刷し、該当する個人宅に到着した宅配会社の集荷担当者は受け取った荷物に宅配伝票を貼って集荷を完了する方法は、特許文献２に記載されている。
【特許文献１】特開２００２−２５５３４５号公報
【特許文献２】特開２００４−００５４２６号公報
【発明の開示】
【発明が解決しようとする課題】
【０００５】
しかしながら、上記の如く従来の配送システムでは、個人情報登録受付手段と集荷依頼受付手段と集荷依頼受付通知手段と集荷依頼振分け手段と配達予定通知手段と配達日時変更依頼受付手段と再配達依頼受付手段と再配達依頼受付通知手段と再配達依頼振分け手段
とから構成されており、地域情報の冊子を作成し配送荷物に冊子を添付する手段を構築した配送システムは存在しなかった。
【０００６】
また、従来の配送方法では、集荷荷物に宅配伝票を貼り配送を行うという方法、すなわち荷物を配送するためだけの配送方法であった。そして、集荷に伴う手間および時間を軽減することを目的とした配送システムであった。
【０００７】
更にまた、情報を多数掲載し印刷された同じ内容のカタログ等の冊子を梱包して配送する方法もあるが、顧客によっては不必要な情報が多数掲載されることや顧客の購買意思とは無関係に届く情報冊子に嫌悪感を示し冊子の利用率が低くなるという問題があった。
【課題を解決するための手段】
【０００８】
本発明は、上述した問題点に鑑みて成されたものであり、第１に顧客の荷物を配送する配送システムにおいて、通信回線を介して前記顧客の住所データを含む配送依頼情報を受け付ける受注手段と、前記配送依頼情報および所定の地域別情報を保持する第１記憶手段と、前記住所データに基づき、該住所データに対応する前記地域別情報を検索し、複数の顧客地域別情報を抽出する抽出手段と、複数の画像データを保持する第２記憶手段を有し、前記顧客地域別情報と、該情報に対応する前記画像データを印刷して冊子を作成する冊子作成手段と、前記冊子を前記荷物に添付して配送する配送手段とを備えることで解決するものである。
【０００９】
第２に、販売会社に設置された第１の端末から発行される配送伝票に基づき、顧客の荷物の配送先が特定された住所データを含む配送依頼情報を配送業者に設置された第２の端末を用いて受け付ける受注手段と、前記配送依頼情報および店舗コードを含む所定の地域別情報を保持する第１記憶手段と、前記住所データに基づき、該住所データに対応する前記地域別情報を検索し、複数の顧客地域別情報を抽出する抽出手段と、複数の画像データを保持する第２記憶手段を有し、前記顧客地域別情報の前記店舗コードに対応する前記画像データを抽出して紙を含む印刷媒体に印刷し、冊子を作成する冊子作成手段と、前記冊子を前記荷物に添付して前記顧客に配送する配送手段とを備えることで解決するものである。
【００１０】
また、前記所定の地域別情報は、前記店舗コードに対応する配達可能地域コードを有することを特徴とするものである。
【００１１】
更にまた、前記店舗コードは、前記配送業者と契約した店舗の店舗コードであることを特徴とするものである。
【００１２】
また、前記所定の地域別情報は店舗コードおよび該店舗コードに対応する配達可能地域コードを有し、ウェブサーバに保持されている店舗データベースの一部を含むことを特徴とするものである。
【００１３】
また、前記第１記憶手段は印刷履歴情報を有し、前記抽出手段は前記印刷履歴情報に基づいて前記顧客地域別情報を抽出することを特徴とするものである。
【００１４】
また、前記所定の地域別情報は優先順位情報を有し、前記抽出手段は、前記優先順位情報に基づいて前記顧客地域別情報を抽出することを特徴とするものである。
【００１５】
また、前記画像データは、店舗コード、画像コード、印刷デザインを少なくとも含む事を特徴とするものである。
【００１６】
第３に、顧客の荷物を配送する配送方法において、受注手段が、前記顧客の住所データを含む配送依頼情報を受け付けるステップと、抽出手段が、前記住所データを基に該住所データに対応する第１記憶手段に保持される所定の地域別情報を検索し複数の顧客地域別情報を抽出するステップと、冊子作成手段が、第２記憶手段に保持される複数の画像データと前記顧客地域別情報に対応する前記画像データを印刷して冊子を作成するステップと、配送手段が、前記冊子を前記荷物に添付して配送するステップとから構成することで解決するものである。
【００１７】
また、前記所定の地域別情報は店舗コードに対応する配達可能地域コードを有し、前記抽出手段は前記顧客地域別情報を配達可能地域コードで抽出するステップを備えていることを特徴とするものである。
【００１８】
また、前記所定の地域別情報は優先順位情報を有し、前記抽出手段は前記顧客地域別情報を優先順位情報で抽出するステップを備えていることを特徴とするものである。
【発明の効果】
【００１９】
上述したように、本発明の配送システムは、第１に、第１記憶手段、第２記憶手段、受注手段、抽出手段、冊子作成手段、配送手段を組み合わせることにより、配送荷物に冊子を添付し提供することができる。これにより顧客へ配送荷物と一緒に顧客の住所にあった地域別情報を提供することができる。また契約店舗側には、折込チラシや投函チラシ等の印刷が不要となり、冊子に掲載したい情報だけを用意すればよく、この情報を自在に変更することができるという利点がある。更にまた顧客には、自分が必要とする情報の掲載により利用し易い情報冊子を入手することができ、そして冊子となっているため保存し易いという利点がある。
【００２０】
第２に、第１および第２の端末を第１記憶手段、第２記憶手段、受注手段、抽出手段、冊子作成手段、配送手段とに組み合わせることにより、インターネットを介して配送依頼情報を受け付けるとともに顧客地域別情報の抽出手段を開始させることができる。これにより荷物集荷に係る時間を利用して添付する冊子を作成することができる。
【００２１】
本発明では、所定の地域情報に店舗コードに対応する配達可能地域コードを持たせることにより、配達可能地域コードでの地域別情報の抽出を行うことができる。これにより配送先の地域別情報を冊子に掲載して提供することができる。
【００２２】
本発明では、所定の地域情報の店舗コードを配送業者と契約した店舗の店舗コードとすることにより、宣伝をしたい店舗情報を無差別に配布することができる。これにより契約店舗側は、冊子に宣伝を掲載することができ、そして配達可能な地域のみに配布することができるため無駄なチラシの印刷を不要にすることができる。また顧客側は、契約店舗からの宣伝費用が配送料に費やされる為、配送料が安価になるという利点がある。
【００２３】
本発明では、所定の地域別情報に店舗コードおよび店舗コードに対応する配達可能地域コードを持たせることにより、住所コードと対応した配達可能地域コードを利用することができる。これにより、顧客の住所コードに対応した地域別情報を抽出することができる。
【００２４】
本発明では、第１記憶手段に印刷履歴情報を持たせることにより、抽出手段は印刷履歴情報に基づいて顧客地域別情報を抽出することができる。これにより前回と異なる地域情報を提供することが可能となる。
【００２５】
本発明では、所定の地域別情報に優先順位情報を持たせることにより、抽出手段は優先順位情報に基づいて顧客地域別情報を抽出することができる。これにより冊子に掲載する情報の抽出を優先順位情報で自由に編集することができる。また、必要最少限の情報を掲載した冊子を提供することができる。
【００２６】
画像データに店舗コード、画像コード、印刷デザインを含む事により、冊子作成手段は顧客地域別情報に基づいて画像データを抽出することができる。これにより時期毎に印刷デザインを変更する場合は画像データのみ更新すればよく、処理に要する時間も短く、また管理も容易である。
【００２７】
第３に、配送依頼情報を受け付けるステップと複数の顧客地域別情報を抽出するステップと冊子を作成するステップと配送するステップと集荷作業を同時に進行できることにより、時間の有効利用を実現できる。これにより集荷の時間を利用して冊子を作成することができる。
【００２８】
本発明では、店舗コードに対応する配達可能地域コードを有する事で、配達可能地域コードを用いて顧客地域別情報の抽出を行うことができる。これにより配達可能地域コードのみの情報を抽出することができる。
【００２９】
本発明では、優先順位情報を地域別情報に有することで、優先順位情報を用いて顧客地域別情報の抽出を行うことができる。これにより冊子に掲載する情報を優先順位情報により容易に変更することができる。
【００３０】
最後に本発明では、顧客からの配送依頼を受け付ける時点で配送荷物に冊子を同梱する旨の了解を得ているため、冊子に対する嫌悪感を抱くことが少なく、また冊子の利用率を良くすることができる。
【発明を実施するための最良の形態】
【００３１】
以下に、本発明における実施の形態について、図１〜４を参照にして詳細に説明する。
【００３２】
図１は、本発明の一実施の形態である配送システムの全体を表す概略図である。
【００３３】
配送業者１２が通信販売会社１１から配送依頼情報２ｄを受ける場合には、インターネット１４に接続されている第１の端末１１ａおよび第２の端末１２ａを介して行われる。また、通信販売会社１１が顧客１０から商品の注文を受け付ける場合には、インターネット１３に接続されている顧客端末１０ａを介して行われる。
【００３４】
顧客１０は、通信販売会社１１を利用するエンドユーザであり、顧客端末１０ａを有する。顧客端末１０ａは、インターネット１３に接続されている端末を全て含み、端末の種類はコンピュータであっても携帯電話機などの携帯端末であっても良い。
【００３５】
通信販売会社１１は、広告やパソコン通信などによって客から注文をとり商品を発送する小売販売を行う会社であり、第１の端末１１ａ、記憶手段１１ｂ、プリンター１１ｃを有する。第１の端末１１ａは表示装置、通信装置、制御装置を少なくとも備えており、記憶手段１１ｂは顧客情報（例えば、住所、氏名、電話番号等）を属性毎に関係づけて蓄積をしている顧客情報データベース等を含み、プリンター１１ｃは受注商品の配送先、依頼主、品名を配送伝票に印刷する装置である。尚、本実施例では通信販売会社を例にして説明するが、デパートや書店といった直接顧客より注文を受け付ける販売会社であっても良い。
【００３６】
配送業者１２は、物を配り届ける事業や商売をしている人であり、第２の端末１２ａ、プリンター１２ｂ、第１記憶手段２、第２記憶手段４を有する。第２の端末１２ａは、表示装置、通信装置、制御装置を少なくとも備えた端末である。また、プリンター１２ｂは、印刷のスピードが速く、少部数の印刷に対応し、その都度修正や内容を変更して印刷ができ、またデータを配信できるという利点を持つオンデマントプリントが行えるプリンターである。尚、第１記憶手段２および第２記憶手段４については後で説明をする。
【００３７】
インターネットとは、ＴＣＰ／ＩＰと呼ばれるパケット通信をベースとするネットワークプロトコルによって、世界中のコンピュータを相互接続したネットワークの総称である。インターネット１３は、顧客端末１０ａと第１の端末１１ａを相互接続し、顧客１０からの注文を通信販売会社１１に入力する手段として利用する。またインターネット１４は、第１の端末１１ａと第２の端末１２ａを相互接続し、通信販売会社１１からの配送依頼情報２ｄを配送業者１２に送る手段として利用する。
【００３８】
本実施の形態の配送システムは、受注手段１、第１記憶手段２、抽出手段３、第２記憶手段４、冊子作成手段５、配送手段６から構成される。
【００３９】
まず、受注手段１は、販売会社１１に設置された第１の端末１１ａから発行される配送伝票に基づき、顧客１０の荷物の配送先が特定された住所データを含む配送依頼情報２ｄを配送業者１２に設置された第２の端末１２ａを用いて受け付ける手段である。
【００４０】
次に、第１記憶手段２は、所定の地域別情報２ａ、印刷履歴情報２ｂ、顧客地域別情報２ｃ、配送依頼情報２ｄ等を含む記憶手段である。所定の地域別情報２ａは、配送業者１２と契約をしている地域の情報を蓄積していて、本実施の形態では所定の地域別情報２ａを契約店舗情報と呼ぶ。
【００４１】
契約店舗情報２ａは、配送業者１２と契約をしている店舗の情報を蓄積したデータべースであり、例えばピザやカレーや寿司等の食品を宅配する店舗の情報を蓄積している。尚、本実施例では食品を宅配する店舗を例にするが、商店街のパン屋および八百屋およびスーパ−マーケットの特売等の情報を蓄積する契約商店情報、また店舗に限らず、地域を限定し、配送業者１２と契約をしている取引先の情報、例えば祭りおよびフリーマーケットといった地域の組織で主催されるイベント情報を蓄積する契約地域情報、住居地区の歯医者や接骨院などの情報を蓄積する契約医療機関情報などであってもよい。また、スパーマーケットやイベント情報や医療機関の場合は、これらの情報を利用可能とする領域の住所コードを配達可能地域コードとして登録している。
【００４２】
また、契約店舗情報２ａは店舗コード、店舗名、配達可能地域コード、画像コード、優先順位情報等を含んでいる。店舗コードは、契約をした店舗を管理するために付番したコードである。優先順位情報は、冊子７に掲載する優先度を決定できる順位情報であり、配送業者１２で自由に変更できる。例えば、季節で掲載店舗の順位を替えたり、キャンペーン期間中の店舗には優先的に上位を付番したり、大口契約の店舗には上位を付番したりすることができる。配達可能地域コードは、各契約店舗が店舗の配達可能地域としてカバーする住所コードを割り当てている。画像コードは、各契約店舗の印刷デザインを管理するために付番したコードである。
【００４３】
尚、本実施例では契約店舗情報２ａを作成するにあたり、ウェブサーバに保持され、店舗コードと配達可能地域コードを有する店舗データベースの一部を利用したが、店舗コードや配達可能地域コードを配送業者１２で決定し最初から作成していってもよい。
【００４４】
印刷履歴情報２ｂは、過去に冊子７に掲載した顧客地域別情報２ｃの履歴を蓄積するデータベースである。印刷履歴情報２ｂは、顧客コード、店舗コード、配達可能地域コード、画像コード、掲載日等を含んでいる。顧客コードは、配送業者１２を利用する依頼主を管理するために付番したコードであり、顧客名に対応している。例えば、同じ顧客コードの冊子７に連続して同じ店舗の情報を掲載しないよう制御するために利用することができる。
【００４５】
顧客地域別情報２ｃは、配送依頼情報２ｄの住所コードと契約店舗情報２ａの配達可能地域コードが一致する店舗の情報で作成される。また顧客地域別情報２ｃは、店舗コード、店舗名、配達可能地域コード、画像コード、優先順位、顧客コード、伝票番号を含んでおり、この情報を基に冊子７が作成される。伝票番号は、通信販売１２から送られて来る配送依頼情報２ｄに含まれている。
【００４６】
配送依頼情報２ｄは、伝票番号、住所データ、顧客名、電話番号等を含む情報で、通信販売会社１１からインターネット１４を介して送られてくる。住所データは住所と住所コードから構成され、住所コードは住所をある条件で市町村毎に分類し、コード化したものである。
【００４７】
尚、第１記憶手段２に顧客の情報（性別、年齢、職業等）を蓄積するデータベース（以下、顧客データベースと呼ぶ）を保持させても良い。例えば、ニーズにより顧客データベースを用いて性別、法人等の区別をすることができる。
【００４８】
次に、抽出手段３は、例えば第２の端末１２ａに常駐するプログラムであり、住所データに基づき、住所データに対応する契約店舗情報２ａを検索し、複数の顧客地域別情報２ｃを抽出する手段である。住所データに含まれる住所コードを基に、契約店舗情報２ａの配達地域可能コードと顧客１０の住所コードが一致する情報を全て抽出する。
【００４９】
次に、第２記憶手段４は、複数の画像データ４ａから構成される。画像データ４ａは、各契約店舗の店舗コード、画像コード、印刷デザイン等を含んでいる。例えば、冊子７に掲載する印刷デザインを季節毎のメニューやキャンペーン期間で新しくする場合には、各契約店舗より印刷デザインを入手し画像データ４ａの更新を行えばよく、また更新に要する時間も短く、画像データ４ａの管理も用意に行える。尚、本実施例では契約店舗より入手した印刷デザインを利用したが、契約店舗の要望があれば配送業者１２は印刷デザインを有料で作成したり、レイアウトの変更をしたりしてもよい。
【００５０】
次に、冊子作成手段５は、顧客地域別情報２ｃの店舗コードに対応する画像データ４ａを抽出して紙を含む印刷媒体に印刷し、冊子７を作成する手段である。
【００５１】
冊子７は、抽出手段３が作成した顧客地域別情報２ｃに店舗の画像を交えて紹介するもので、また外側のページには伝票番号を印刷することができる。例えば一冊に掲載する店舗を５店舗とし、毎回掲載する店舗情報を異ならせることで、顧客１０に新鮮さや利便性を与える冊子７を提供できる。また、冊子７として手元に届くため保存もし易い。
【００５２】
最後に、配送手段６は、冊子７を出荷荷物９に添付して配送する手段である。集荷された入庫荷物８は入庫処理が行われ、その後出庫処理の際に冊子７を出庫荷物９に添付し配送先１５へと配送する。例えば出庫処理の際には、配送荷物に付されている伝票番号を第２の端末１２ａに表示させることで同じ伝票番号が印刷された冊子７を探せば良く、冊子７の添付に所要する時間を短縮することもできる。
【００５３】
次に、図２は本発明の一実施の形態である配送システムにおける（Ａ）契約店舗情報の構成を説明する図、（Ｂ）印刷履歴情報の構成を説明する図、（Ｃ）顧客地域別情報の構成を説明する図である。
【００５４】
まず、図２（Ａ）に示す如く、契約店舗情報２ａは、配送業者１２が契約をしている店舗情報を蓄積するデータベースである。契約店舗情報２ａは、店舗コード、店舗名、配達可能地域コード、画像コード、優先順位等を含んでいる。
【００５５】
店舗コードは、契約をした店舗および支店を管理するために付番をしたコードである。本実施例では店舗コードを英数字を含む５桁で管理をしているが、管理できる文字であればどのような体系であってもよい。例えば「Ａ１１１−１」は、頭４桁で店舗を（この場合は、Ａ１１１）、末尾１桁で支店を（この場合は、１）管理している。
【００５６】
店舗名は、契約をした店舗の名称（店舗名および支店名を含む）であり、店舗コードと店舗名は１対１で対応している。例えば店舗コード「Ａ１１１−１」の店舗の名称は、「ピザ屋渋谷店」であり、店舗名は「ピザ屋」で支店名は「渋谷店」である。
【００５７】
配達可能地域コードは、各契約店舗を管理するための店舗コードと対応していて、各契約店舗が配達可能地域としてカバーするエリアの住所コードが割り当てられている。本実施例では配達可能地域コードを数字４桁で管理しているが、管理できる文字であればどのような体系であってもよい。例えば店舗コード「Ａ１１１−１」は、「０００１（この場合は、渋谷）、０００２（この場合は、原宿）」の２つの地域を配達可能エリアとしてカバーしている。
【００５８】
画像コードは、画像データ４ａに蓄積されている印刷デザインを管理するコードである。本実施例では英数字４桁で管理をしているが、管理できる文字であればどのような体系であってもよい。例えば店舗コード「Ａ１１１−１」は、画像データ４ａに蓄積されている画像コード「Ａ１１２」の印刷デザインと対応している。
【００５９】
優先順位は、冊子７に掲載する優先度を決定でき、また印刷の大きさも変えることができる順位情報である。優先順位は配送業者１２で自由に変更できる。例えば優先順位を用いて優先順位が１〜１０の店舗を掲載したり、また例えば、優先順位が「２（この場合は、Ｄ４４１−１）、４（この場合は、Ｅ５５１−３）」は１ページに対して２分の１の大きさで印刷したりと利用することができる。また、店舗コード「Ｅ５５１−３」の優先順位を１位に変更することも容易に行うことができる。
【００６０】
次に、図２（Ｂ）に示す如く、過去に冊子７に掲載された顧客地域別情報２ｃの履歴を蓄積するデータベースである。印刷履歴情報２ｂは、顧客コード、店舗コード、配達可能地域コード、画像コード、掲載日等を含んでいる。
【００６１】
顧客コードは、配送業者１２を利用する依頼主を管理するために付番されたコード（例えば、１２３４）であり、顧客名に対応している。本実施例では数字４桁で管理をしているが、管理できる文字であればどのような体系であってもよい。
【００６２】
掲載日は、過去に冊子７に掲載した日付を顧客コード毎に管理している。例えば、顧客コード「１２３４」は過去（この場合は、２００４年１月２０日）に店舗コード「Ａ１１１−１」の情報を冊子７に掲載していることが解る。また、冊子７で夏の新商品を紹介する場合、前回既に掲載しているが掲載内容が異なるため、今回は顧客地域別情報２ｃから削除しないよう制御するといった利用もできる。
【００６３】
図２（Ｃ）に示す如く、顧客地域別情報２ｃは冊子に７に掲載される情報を蓄積したファイルである。顧客地域別情報２ｃは、店舗コード、店舗名、配達可能地域コード、画像コード、優先順位、顧客コード、伝票番号を含んでいる。
【００６４】
伝票番号は、通信販売１２から送られてくる配送依頼情報２ｄに含まれていて、顧客１０の荷物を管理する番号である。本実施例では数字６桁で管理をしているが、管理できる文字であればどのような体系であってもよい。例えば出庫処理の際には、配送荷物に付されている伝票番号を第２の端末１２ａに表示させることができ、また冊子７の添付に所要する時間を短縮することもできる。
【００６５】
最後に、図３および図４を用いて配送方法における動作を説明する。図３は本発明の一実施の形態である配送方法を説明するフロー図であり、図４は本発明の一実施の形態である配送方法による顧客地域別情報を作成するまでの遷移図である。
【００６６】
例えば、顧客１０の顧客コードが「１２３４」、住所データの住所が「東京都渋谷区」、住所データの住所コードが「０００１」として顧客地域別情報２ｃを抽出していく。
【００６７】
本実施の配送方法は、受注手段１が配送情報を受け付けるステップと、抽出手段３が第１記憶手段２に保持される所定の地域別情報２ａを検索するステップと、冊子作成手段５が、第２記憶手段４に保持される複数の画像データ４ａと顧客地域別情報２ｃに対応する画像データ４ａを印刷し冊子７を作成するステップと、配送手段６が冊子７を荷物に添付して配送するステップとから構成される。
【００６８】
まず、受注手段１は配送依頼情報２ｄを受け付ける（ステップＳ１）。例えば図１に示すごとく、配送業者１２はインターネット１４に接続された第１の端末１１ａおよび第２の端末１２ａを介して、通信販売会社１１より伝票番号（例えば、０４１８−０１）、住所データ、顧客名、電話番号を含む配送依頼情報２ｄを受け付ける。また、住所データは、住所（この場合は、東京都渋谷区）および住所コード（この場合は、０００１）からなる。
【００６９】
その後、配送依頼情報２ｄの住所コードの読み込みが行われる（ステップＳ２）。そして、配送業者１２は荷物の集荷へ行く（ステップＳ３）。例えば図１に示すごとく、配送業者の車両は通信販売会社１２の倉庫際の集荷先へ荷物を集荷しに向かう。
【００７０】
ステップＳ２の後に、契約店舗情報２ａの配達可能地域コードと配送依頼情報２ｄの住所コードが一致するか否かの判断をする（ステップＳ４）。一致する配達可能地域コードが検索された場合は、契約店舗情報２ａより店舗コードを含む情報を抽出し（ステップＳ５）、ステップＳ４の判断へと続く。例えば図４（Ａ）に示すごとく、住所コードと配達可能地域コードが一致する店舗コード（この場合は、Ａ１１１−１、Ｂ２２１−１、Ｄ４４１−１）が抽出される。尚、この処理は契約店舗情報２ａの配達可能地域コードと住所コードが一致する情報が全件抽出されるまで繰り返される。
【００７１】
一方、一致する配達可能地域コードが検索されない場合は、抽出された情報が０件でないか否かの判断をする（ステップＳ６）。例えば図４（Ｂ）に示すごとく、抽出された情報が３件存在する場合には、ステップＳ６の結果が真となり、顧客地域別情報２ｃの作成（ステップＳ７）を行う。また、抽出された情報が０件の場合には、処理は終了する。
【００７２】
ステップＳ７の後、印刷履歴情報２ｂの店舗コードと顧客地域別情報２ｃの店舗コードが一致するかの判断を行う（ステップＳ８）。一致する場合には、顧客地域別情報２ｃより該当する情報の削除を行う（ステップＳ９）。例えば図４（Ｃ）に示すごとく、一致する店舗コード（この場合は、Ａ１１１−１）を削除した結果が顧客地域別情報２ｃの店舗コード（この場合は、Ｂ２２１−１、Ｄ４４１−１）となる。一方、一致しない場合には、ステップＳ９の処理は回避される。
【００７３】
その後、顧客地域別情報２ｃを優先順位で並べ替える（ステップＳ１０）。例えば図４（Ｄ）に示すごとく、優先順位は顧客地域別情報２ｃに含まれている。優先順位は季節の新商品を紹介している店舗（この場合は、Ｄ４４１−１）に１位を付番することができ、配送業者１２で容易に変更をすることができる。
【００７４】
そして、並べ替えられた顧客地域別情報２ｃを利用して冊子の作成を行う（ステップＳ１１）。例えば図１に示すごとく、冊子作成手段５が顧客地域別情報２ｃの店舗コードに対応する画像データ４ａを印刷し、冊子７を作成する。
【００７５】
そして、ステップＳ３で集荷した荷物が配送業者１２の倉庫へ届くと、入庫の処理を行う（ステップＳ１２）。例えば図１に示すごとく、配送業者の車両は、通信販売会社の倉庫で受け取った荷物８を配送業者の倉庫へと入庫する。尚、冊子はこの集荷時間を利用し作成することができる。
【００７６】
そして、出庫荷物９に冊子７を添付する（ステップＳ１３）。例えば図１に示すごとく、配送手段６は、出庫荷物９に作成された冊子７を添付する。尚、冊子７には荷物の伝票番号が印刷されていて、配送業者１２は第２の端末１２ａに荷物の伝票番号を表示することができる。これにより出庫荷物が多い場合には冊子の添付に要する時間を短縮することができる。
【００７７】
そして、冊子が添付された出庫荷物９は出庫され（ステップＳ１４）、顧客のもとへと配送される。
【００７８】
尚、本実施例では顧客地域別情報２ｃの作成（ステップＳ７）の後に印刷履歴情報２ｂに存在する店舗コードの存在チェック（ステップＳ８）および当データの削除（ステップＳ９）を行ったが、点線で示すごとく、ステップＳ７の後に顧客地域別情報２ｃを優先順位で並べ替え（ステップＳ１０）へと処理が進んでもよい。また、常に最新の顧客地域別情報２ｃが届けられる利点がある。
【図面の簡単な説明】
【００７９】
【図１】本発明の一実施の形態である配送システムの全体を表す概略図である。
【図２】本発明の一実施の形態である配送システムにおける（Ａ）契約店舗情報の構成を説明する図、（Ｂ）印刷履歴情報の構成を説明する図、（Ｃ）顧客地域別情報の構成を説明する図である。
【図３】本発明の一実施の形態である配送方法を説明するフロー図である。
【図４】本発明の一実施の形態である配送方法による顧客地域別情報を作成するまでの遷移図である。
【符号の説明】
【００８０】
１      受注手段
２      第１記憶手段
２ａ    契約店舗情報
２ｂ    印刷履歴情報
２ｃ    顧客地域別情報
２ｄ    配送依頼情報
３      抽出手段
４      第２記憶手段
４ａ    画像データ
５      冊子作成手段
６      配送手段
７      冊子
８      入庫荷物
９      出庫荷物
１０      顧客
１０ａ    顧客端末
１１      通信販売会社
１１ａ    第１の端末
１１ｂ    記憶手段
１１ｃ    プリンター
１２      配送業者
１２ａ    第２の端末
１２ｂ    プリンター
１３      インターネット
１４      インターネット
１５      配送先
【図１】
2005306522.tif 000003
【図２】
2005306522.tif 000004
【図３】
2005306522.tif 000005
【図４】
2005306522.tif 000006